(57)【要約】【課題】鋼角ストッパによって破壊された橋脚などの下部工を合理的に修復することが可能な橋梁の補修方法を提供する。【解決手段】コンクリート製の下部工と上部工とが鋼角ストッパによって連結された橋梁の補修方法である。  そして、橋脚１１の表面から鋼角ストッパ１３の周囲のコンクリートの脆弱部を除去する工程と、橋脚の橋軸面１１１から脆弱部の除去箇所を経由して鋼角ストッパに隣接する位置を通過させてアンカー３，・・・を設ける工程と、除去箇所に充填材を充填して充填部５とする工程と、充填部から突出されたアンカーの頭部３１を鋼板部４によって定着する工程とを備えている。【選択図】図１
2018204259.tif 000002
【特許請求の範囲】
【請求項１】
コンクリート製の下部工と上部工とが鋼角ストッパによって連結された橋梁の補修方法であって、
前記下部工の表面から前記鋼角ストッパの周囲のコンクリートの脆弱部を除去する工程と、
前記下部工の橋軸方向側面から前記脆弱部の除去箇所を経由して前記鋼角ストッパに隣接する位置を通過させてアンカーを設ける工程と、
前記除去箇所に充填材を充填する工程と、
前記充填材の充填箇所から突出された前記アンカーの頭部を定着する工程とを備えたことを特徴とする橋梁の補修方法。
【請求項２】
前記アンカーは、前記鋼角ストッパから前記橋軸方向側面に向けて延びるひび割れと交差する箇所を通過するように設置されることを特徴とする請求項１に記載の橋梁の補修方法。
【請求項３】
前記アンカーの頭部は、前記充填材の充填箇所の表面に鋼板によって定着されることを特徴とする請求項１又は２に記載の橋梁の補修方法。
【請求項４】
前記アンカーは、アンカー自体の引張降伏耐力より前記下部工への付着破壊耐力の方が大きくなるようにアンカー長が設定されていることを特徴とする請求項１乃至３のいずれか１項に記載の橋梁の補修方法。
【発明の詳細な説明】
【技術分野】
【０００１】
本発明は、橋梁の橋脚や橋台などの下部工と橋桁などの上部工とが鋼角ストッパによって連結された橋梁の補修方法に関するものである。
【背景技術】
【０００２】
特許文献１に開示されているように、矩形の橋脚の上に橋桁が架け渡された橋梁において、橋脚と橋桁とをストッパで連結させることで、大地震時や津波襲来時の落橋を防止する構造が知られている。
【０００３】
また、特許文献２に開示されているように、既存の橋梁の耐震性能を向上させるために、橋脚の外周面に鋼板や鉄筋コンクリートなどを巻き立てることで、せん断耐力を増加させる方法が知られている。
【先行技術文献】
【特許文献】
【０００４】
【特許文献１】特開２０１６−７５１２０号公報
【特許文献２】特開２０１１−９９２０１号公報
【発明の概要】
【発明が解決しようとする課題】
【０００５】
しかしながらコンクリート製の橋脚と橋桁とを鋼角ストッパによって連結させた場合、橋桁の脱落などの落橋を防止することはできるが、地震時の大きな変動による橋桁からの慣性力を鋼角ストッパが受けると、橋脚の埋込み部周辺が破壊することがある。
【０００６】
そこで、本発明は、鋼角ストッパによって破壊された橋脚などの下部工を合理的に修復することが可能な橋梁の補修方法を提供することを目的としている。
【課題を解決するための手段】
【０００７】
前記目的を達成するために、本発明の橋梁の補修方法は、コンクリート製の下部工と上部工とが鋼角ストッパによって連結された橋梁の補修方法であって、前記下部工の表面から前記鋼角ストッパの周囲のコンクリートの脆弱部を除去する工程と、前記下部工の橋軸方向側面から前記脆弱部の除去箇所を経由して前記鋼角ストッパに隣接する位置を通過させてアンカーを設ける工程と、前記除去箇所に充填材を充填する工程と、前記充填材の充填箇所から突出された前記アンカーの頭部を定着する工程とを備えたことを特徴とする。
【０００８】
ここで、前記アンカーは、前記鋼角ストッパから前記橋軸方向側面に向けて延びるひび割れと交差する箇所を通過するように設置させることができる。また、前記アンカーの頭部は、前記充填材の充填箇所の表面に鋼板によって定着される構成とすることができる。
【０００９】
さらに、前記アンカーは、アンカー自体の引張降伏耐力より前記下部工への付着破壊耐力の方が大きくなるようにアンカー長が設定されている構成とすることができる。
【発明の効果】
【００１０】
このように構成された本発明の橋梁の補修方法は、せん断破壊などによって損傷したコンクリートの脆弱部を下部工の表面から除去し、鋼角ストッパに隣接する位置を通過させてアンカーを設ける。そして、アンカーの頭部を脆弱部の除去箇所に充填材を充填した充填箇所に定着させる。
【００１１】
このようにすることで、鋼角ストッパによって破壊された橋脚などの下部工を合理的に修復することができる。特に、鋼角ストッパから延びるひび割れと交差する箇所をアンカーが通過するような配置とすることで、破壊された箇所を確実に修復することができる。
【００１２】
一方、アンカーの頭部は、鋼板によって定着させる構成とすることで、過密に配筋された下部工の鉄筋を避けてアンカーを配置した場合も、容易に定着させることができる。
【００１３】
さらに、アンカー自体の引張降伏耐力より下部工への付着破壊耐力の方が大きくなるようにアンカー長を設定することで、アンカー間に充分な間隔が確保できない場合であっても、確実に設計したアンカー力を発揮させることができる。
【図面の簡単な説明】
【００１４】
【図１】本実施の形態の橋梁の補修方法によって補修された橋梁の構成を説明する図であって、（ａ）は縦断面図、（ｂ）は橋脚の上面と橋軸面とを連続して図示した展開図である。
【図２】橋脚と橋桁とが鋼角ストッパによって連結される橋梁の構成を説明する斜視図である。
【図３】鋼角ストッパの周辺に作用する力とひび割れ発生位置を説明する模式図である。
【図４】地震によって破損した橋梁の状況を説明する図であって、（ａ）は縦断面図、（ｂ）は（ａ）のＡ−Ａ矢視方向で見た正面図、（ｃ）は（ａ）のＢ−Ｂ矢視方向で見た平面図である。
【図５】本実施の形態の橋梁の補修方法の脆弱部を除去する工程を示した説明図である。
【図６】アンカーを設置する工程を示した説明図である。
【図７】充填材を充填してアンカーの頭部を定着させる工程を示した説明図である。
【図８】図７のＣ−Ｃ矢視方向で見た正面図である。
【発明を実施するための形態】
【００１５】
以下、本発明の実施の形態について図面を参照して説明する。図１は、本実施の形態で説明する橋梁の補修方法によって補修された橋梁１の構成を説明する図であって、図２は補修対象となる橋梁１の概略構成を説明するための斜視図である。
【００１６】
橋梁１は、橋脚１１や橋台などの下部工と、橋桁１２，１２Ａなどの上部工とによって主に構成される。本実施の形態で説明する橋脚１１は、鉄筋コンクリートによって構築されている。
【００１７】
橋脚１１は、例えば本体が直方体状に成形され、橋桁１２，１２Ａが載せられる上部が橋軸直交方向に拡幅された形状となっている。ここで、橋脚１１の橋軸方向側面を橋軸面１１１とし、上面１１２には支承部を介して橋桁１２，１２Ａが設置される。
【００１８】
橋桁１２，１２Ａは、単純鉄筋コンクリート桁（単純ＲＣ桁）、プレストレストコンクリート桁（例えば連続ＰＣ桁）などのいずれの形態であってもよい。本実施の形態で説明する橋梁１では、図２に示すように、橋脚１１の上面１１２に設置されたゴム支承１４，・・・によって橋桁１２，１２Ａが支持されている。
【００１９】
そして、コンクリート製の橋脚１１と橋桁１２（１２Ａ）とは、鋼角ストッパ１３によって連結される。ここで、１体の橋脚１１の上には、橋軸方向に延びる２本の橋桁１２，１２Ａの端部がそれぞれ設置されることになる。以下では、橋桁１２の符号で代表して説明する。
【００２０】
鋼角ストッパ１３は、角形鋼管などによって四角柱状に形成される。この鋼角ストッパ１３は、図１（ａ）に示すように、下部が埋込み部１３２となって橋脚１１に埋め込まれ、橋脚１１の上面１１２から上方に向けて突出された突出部１３１は、橋桁１２の収容部１２１に収容される。
【００２１】
橋桁１２の収容部１２１は、鋼角ストッパ１３の突出部１３１よりも一回り大きな直方体状の空洞で、収容部１２１と突出部１３１との間には必要に応じて緩衝ゴムが配置される。
【００２２】
鉄筋コンクリート製の橋脚１１には、主鉄筋となる縦筋や横筋に加えて、鋼角ストッパ１３の周囲に補強鉄筋２１，２２，２３が配置される。図１（ｂ）に例示した補強鉄筋２１，２１は、平面視で鋼角ストッパ１３を挟んだ両側に配置され、橋軸方向に延伸される。
【００２３】
また、補強鉄筋２２，２２は、平面視で橋軸面１１１側の補強鉄筋２１，２１の端部から背面側に広がるように斜めに配置される。また、橋軸面１１１側の補強鉄筋２１，２１（２２，２２）間には補強鉄筋２３が配筋される。すなわち、断面長方形の鋼角ストッパ１３を平面視略コ字形又はく字形（山形）に囲むように補強鉄筋２１−２３が配筋される。
【００２４】
さらに補強鉄筋２１-２３は、図１（ａ）に示すように、鉛直方向に間隔を置いて埋込み部１３２の範囲に配筋される。鉛直方向の間隔は、設計によって任意に設定することができるが、例えば大きな応力が生じる上方に密に配筋し、下方の配筋間隔は広げることができる。
【００２５】
このように鋼角ストッパ１３の埋込み部１３２の周囲は、通常の橋脚１１の配筋に加えて補強鉄筋２１−２３によって補強されているが、設計で想定した以上の地震が発生すると、橋脚１１の一部が破壊することがある。
【００２６】
すなわち鋼角ストッパ１３の埋込み部１３２は、橋桁１２からの慣性力を受けて破壊に至ることがある。破壊に至るまでに生じる損傷は、鋼角ストッパ１３によって押し抜かれるように発生するコンクリートのひび割れ（せん断破壊面）とせん断破壊面に交差する補強鉄筋の降伏によって起きる。要するに最大荷重時には、ひび割れが大きく開口することになるため、主にせん断破壊面に交差する補強鉄筋２１−２３が荷重を負担することになり、破壊耐力は、せん断破壊面に交差する補強鉄筋２１−２３の降伏強度と断面積とによって定まることになる。
【００２７】
図４に、橋脚１１の破壊状況について例示した。図４（ａ）に示すように、大地震によって橋桁１２が大きく変動し、鋼角ストッパ１３の埋込み部１３２を介して大きな応力が橋脚１１のコンクリートに生じると、ひび割れＨ１が発生したり、コンクリートの脆弱部６が出来たりする。
【００２８】
脆弱部６は、図４（ａ）に示すように埋込み部１３２より橋軸面１１１側に表れ、図４（ｂ）に示すように橋軸面１１１に面的に広がり、図４（ｃ）に示すように上面１１２にまで及ぶことがある。
【００２９】
ひび割れは、鋼角ストッパ１３を起点に発生するものと想定される。図４（ａ）に示したひび割れＨ１は、鋼角ストッパ１３の橋軸面１１１側のある深さから斜め下方に向けて延びて橋軸面１１１に露出されるせん断破壊面である。
【００３０】
橋脚１１の上面１１２に現れる図４（ｃ）に示したひび割れＨ２，Ｈ２は、鋼角ストッパ１３の橋軸面１１１側の隅角部から外側に広がるように斜めに延びて橋軸面１１１に露出されるせん断破壊面である。さらに、鋼角ストッパ１３の背面側の隅角部からも、斜めに広がるようにひび割れＨ３，Ｈ３が発生する。
【００３１】
そこで、本実施の形態の橋梁の補修方法では、上述したせん断破壊メカニズムに基づき、あと施工アンカーの設置位置、定着方法及び補強量（引張降伏強度と断面積）を設計によって定めた。橋脚１１には既設の鉄筋が輻輳していることから、あと施工アンカーの設置位置を施工性に配慮して定める必要もある。
【００３２】
まず、ひび割れＨ１−Ｈ３の発生位置について検討する。図３は、鋼角ストッパ１３に作用する荷重を模式的に示した図である。橋桁１２が橋脚１１に対して相対的に移動すると、突出部１３１の範囲ｅに長方形状の分布荷重が作用することになる。
【００３３】
そして、これと釣り合うように、埋込み部１３２の上部の範囲ａ−ｘには、直角三角形状の分布荷重が作用することになる。また、鉛直方向のひび割れＨ１は、「鉄道構造物等設計標準・同解説  コンクリート構造物」に従うと、橋脚１１の上面１１２からａ−ｘの深さ位置の鋼角ストッパ１３の橋軸面１１１側の側面を基点に、斜め45°で下方に向けて延びるものとすることができる。
【００３４】
一方、水平方向のひび割れＨ２は、図１（ｂ）に示すように、鋼角ストッパ１３の隅角部から斜め45°で広がるものとする。すなわちひび割れＨ２は、鋼角ストッパ１３の橋軸面１１１側の側面と橋軸面１１１との離隔ｄと同じとなる、橋軸直交方向の側面から範囲ｄまで進展すると言える。
また、鋼角ストッパ１３の背面側のひび割れＨ３は、後述するアンカー３のアンカー長Ｌ（定着長）を設定する際に使用される。
【００３５】
このようにしてひび割れＨ１−Ｈ３の発生位置が特定できれば、補修を行う範囲も特定できるようになる。本実施の形態の橋梁１の補修方法は、アンカー３と、その頭部３１を橋軸面１１１側に定着させる機械式定着部と、脆弱部６の除去箇所６１に設けられる充填部５とによって主に構成される。
【００３６】
アンカー３は、橋脚１１を削孔した孔に挿入されて接着材を介して一体化させる、いわゆる「あと施工アンカー」である。アンカー３の芯材には鉄筋や鋼棒などが使用でき、削孔に充填される接着材には、エポキシ樹脂やアクリル樹脂などの有機系接着材、セメントミルクやモルタルなどのセメント系（無機系）接着材などが使用できる。
【００３７】
この接着材を介して橋脚１１と一体化させる範囲が、図１（ｂ）に示したアンカー３のアンカー長Ｌとなる。アンカー長Ｌとして橋脚１１に定着させる範囲は、ひび割れＨ３よりも背面側（健全部側）に設けられる必要がある。
【００３８】
さらに、アンカー３は、ひび割れＨ２となるせん断破壊面と確実に交差させるために、平面視では鋼角ストッパ１３の橋軸直交方向の側面からｄ／２までの範囲内に入るように設置される。
【００３９】
一方、鉛直方向のアンカー３の設置範囲は、図１（ａ）に示すように、橋脚１１の上面１１２からａ−ｘの深さ位置までの範囲内とする。そして、アンカー３の頭部３１は、例えば機械式定着の一種である鋼板部４を介して定着させる。鋼板部４は、複数のアンカー３，・・・の頭部３１，・・・を定着可能な帯状の鋼板や、図８に示すような個別鋼板４１などを、施工性に合わせて任意に選択することができる。
【００４０】
鋼板部４は、充填部５の表面５１に配置される。鋼板部４を介して充填部５をアンカー３に接続させることで、充填部５を橋脚１１と一体化させることができる。このような充填部５は、無収縮モルタルやコンクリートなどの充填材を充填箇所に充填することによって形成される。
【００４１】
次に、本実施の形態の橋梁１の補修方法について説明する。
本実施の形態の橋梁１の補修方法は、設計で想定した以上の地震が発生して橋脚１１が破壊された後、又は大地震によって破壊するおそれがある場合などに実施される。
【００４２】
図６に示すように、橋脚１１の橋軸面１１１や上面１１２に脆弱部６やひび割れＨ１−Ｈ３が発生した場合、又は発生するおそれがある場合に、まずこの脆弱部６を除去する工程が実施される。
【００４３】
この脆弱部６を除去する工程では、図５に示すように、脆弱部６がすべて含まれるそれより広い範囲で除去箇所６１を設定し、はつり出しなどによって脆弱部６をすべて取り除く。
【００４４】
除去箇所６１では、補強鉄筋２１，２２，２３の一部が露出したり、鋼角ストッパ１３の側面が露出したりする。そして、除去箇所６１から橋軸方向に向けて水平に、アンカー３を挿入するための孔を削孔する。
【００４５】
アンカー３は、図１（ｂ）に示すように、ひび割れＨ３よりも深部まで挿入される。このアンカー３のアンカー長Ｌは、アンカー３の本体（例えば異形鉄筋）の引張降伏耐力より、接着材を介してアンカー長Ｌの範囲が橋脚１１に付着する付着破壊耐力の方が大きくなるように決定される。すなわち、アンカー３が先に降伏するように設定しておけば、アンカー３が密に配置されてコーン破壊耐力が低減されてしまうような場合でも、設計通りのアンカー力を発揮させることができるようになる。
【００４６】
設計された位置まで削孔された孔には、接着材を充填し、図６に示すようにアンカー３，・・・を挿入する。アンカー３となる芯材は、頭部３１が橋軸面１１１よりも突出する長さのものが挿入される。
【００４７】
続いて橋軸面１１１の位置に合わせて除去箇所６１に型枠を設置し、図７に示すように型枠の内側に無収縮モルタルなどの充填材を充填する。この充填材の充填箇所が充填部５となる。
【００４８】
橋軸面１１１と面一となる充填部５の表面５１からは、アンカー３の頭部３１が突出することになる。このアンカー３の頭部３１には、図７，８に示すように、鋼板部４や個別鋼板４１が配置される。
【００４９】
アンカー３の頭部３１は、ナットや楔などを介して鋼板部４又は個別鋼板４１に固定される。ここで、橋脚１１の鋼角ストッパ１３の周辺には、鉄筋が過密に配筋されているため、図８に示すように、アンカー３，・・・の頭部３１，・・・を並べて一枚の鋼板部４に定着させることができないこともある。そのような場合は、個別鋼板４１を使用して、過密鉄筋の隙間を縫って配置したアンカー３の頭部３１を定着させればよい。
【００５０】
次に、本実施の形態の橋梁１の補修方法の作用について説明する。
このように構成された本実施の形態の橋梁１の補修方法は、せん断破壊などによって損傷したコンクリートの脆弱部６を橋脚１１の橋軸面１１１や上面１１２から除去し、鋼角ストッパ１３に隣接する位置を通過させてアンカー３を設ける。そして、アンカー３の頭部３１を、脆弱部６の除去箇所６１に充填した充填部５に定着させる。
【００５１】
このようにすることで、鋼角ストッパ１３によって破壊された橋脚１１を合理的に修復することができる。特に、鋼角ストッパ１３から延びるひび割れＨ２と交差する箇所をアンカー３が通過するような配置とすることで、破壊された箇所を確実に修復することができる。
【００５２】
一方、アンカー３の頭部３１を、鋼板部４及び個別鋼板４１によって定着させる構成とすることで、過密に配筋された橋脚１１の鉄筋を避けてアンカー３を配置した場合も、容易に定着させることができる。
【００５３】
さらに、アンカー長Ｌのコーン破壊耐力を考慮せずに、アンカー３自体の引張降伏耐力より橋脚１１への付着破壊耐力の方が大きくなるようにアンカー長Ｌを設定することで、アンカー３，３間に充分な間隔が確保できない場合であっても、施工性を低下させることなく確実に設計したアンカー力を発揮させることができる。
【実施例】
【００５４】
以下、前記した実施の形態の橋梁の補修方法を実施するための設計例について説明する。なお、前記実施の形態で説明した内容と同一乃至均等な部分の説明については、同一用語又は同一符号を用いて説明する。
【００５５】
本実施例の設計例が適用される橋脚１１には、正方形断面の１辺が300mmで長さが1400mmの角形鋼管が鋼角ストッパ１３として設置される。図３に示した各記号に対応する諸元は、a = 900mm,b = 325mm, h = 150 mm，e =350 mmとなる。
【００５６】
また、図１に示した補強鉄筋Ｈ１−Ｈ３は異形鉄筋（Ｄ１６，ＳＤ３４５）とし、ａ−ｘの範囲に配置される補強鉄筋Ｈ１−Ｈ３の鉛直方向の間隔は100mm、それよりも下方に配置される補強鉄筋Ｈ１−Ｈ３の鉛直方向の間隔は200mmとする。さらに、鋼角ストッパ１３と橋軸面１１１との離隔ｄは、300mmとする。
【００５７】
アンカー３の水平方向の設置位置は、鋼角ストッパ１３の隅角部から生じる45°の斜めひび割れＨ２に確実に交差するように、鋼角ストッパ１３からd/2 以内の範囲とする。
d/2 ＝300/2 ＝ 150mm
よって、例えば鋼角ストッパ１３の橋軸直交方向の側面からの水平距離が75mmの位置をアンカー３が通過するような配置にする。
【００５８】
アンカー３の鉛直方向の設置位置は、斜めひび割れＨ１に確実に交差するように、ａ−ｘの範囲とする。
a - x = a- a(a + 3b)/ (3a + 6b) 
= 900 - 900(900 + 3×325)/ (3×900 + 6×325) = 537 mm
【００５９】
よって、橋脚１１の上面１１２から下方に537mmの範囲に、補強鉄筋Ｈ１−Ｈ３の間となるように各段のアンカー３を設置する。すなわち、鋼角ストッパ１３の左右２本×鉛直方向４段 ＝ ８本のアンカー３，・・・を挿入することとする。
【００６０】
アンカー３の諸元としては、補強程度に応じて、水平耐力式からアンカー３の引張降伏強度及び直径を設定する。但し、既設の補強鉄筋Ｈ１−Ｈ３の引張降伏耐力よりもアンカー３の引張降伏耐力の方が小さくなるように設定する。例えば、Ｄ１６，ＳＤ３４５の異形鉄筋をアンカー３に使用すると、前記条件は満たされることになる。
【００６１】
アンカー３のアンカー長Ｌは、付着破壊耐力の方がアンカー３自体の引張降伏耐力より大きくなるように設定する。アンカー３の種類は、接着系アンカー（有機系接着材を使用）とする。この結果、必要なアンカー長Ｌは400mmとなった。すなわち、アンカー３の全長は、橋軸面１１１と鋼角ストッパ１３との離隔ｄ（＝300mm）、鋼角ストッパ１３の１辺の長さ（300mm）及びアンカー長Ｌ（＝400mm）を合計して、1000mmとする。
【００６２】
このように図１に示す８本のアンカー３，・・・は、長さ1000mmの異形鉄筋（Ｄ１６，ＳＤ３４５）を使用し、鋼角ストッパ１３の左右側面からの水平方向の離隔75mmのそれぞれの位置に、橋脚１１の上面１１２から537mmの範囲に、補強鉄筋Ｈ１−Ｈ３の間に配置されるように設置すればよいことになる。
なお、他の構成及び作用効果については、前記実施の形態と略同様であるので説明を省略する。
【００６３】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００６４】
例えば、前記実施の形態及び実施例で説明した橋脚１１、橋桁１２及び鋼角ストッパ１３は例示であり、これに限定されるものではなく、橋台などの別の形態の下部工、上部工及び鋼角ストッパにも本発明を適用することができる。
【符号の説明】
【００６５】
１              橋梁
１１            橋脚（下部工）
１１１          橋軸面（橋軸方向側面）
１１２          上面
１２            橋桁（上部工）
１３            鋼角ストッパ
１３２          埋込み部
３              アンカー
３１            頭部
４              鋼板部（定着）
４１            個別鋼板（定着）
５              充填部（充填箇所）
５１            表面
６              脆弱部
６１            除去箇所
Ｌ              アンカー長
Ｈ１，Ｈ２，Ｈ３  ひび割れ
【図１】
2018204259.tif 000003
【図２】
2018204259.tif 000004
【図３】
2018204259.tif 000005
【図４】
2018204259.tif 000006
【図５】
2018204259.tif 000007
【図６】
2018204259.tif 000008
【図７】
2018204259.tif 000009
【図８】
2018204259.tif 000010